(57)【要約】【課題】作業高さが制限されるような場合であっても１回に継ぎ足すオーガスクリューの長さをより長くできるようにして作業性を向上させる。【解決手段】下端面に駆動軸２０を垂下させ、内部に縦置きの油圧モータ１６と該油圧モータの回転を前記駆動軸に伝達させる駆動伝達機構とを備えたオーガ装置本体１１の外側にあって、該オーガ装置本体１１の上端より低い位置に、水平方向に向けた吊り持ち用回転支持軸２５を備え、該吊り持ち用回転支持軸をオーガ支持装置に枢支させることにより吊持ち支持させる。【選択図】図１
2014214517.tif 000002
【特許請求の範囲】
【請求項１】
下端面に駆動軸を垂下させ、内部に油圧モータと該油圧モータの回転を前記駆動軸に伝達させる駆動伝達機構とを備えたオーガ装置本体を有し、
該オーガ装置本体の外側にあって、該オーガ装置本体の上端より低い位置に、水平方向に向けた吊り持ち用回転支持軸を備え、
該吊り持ち用回転支持軸をオーガ支持装置に枢支させることにより吊持ち支持させるようにしたことを特徴としてなる吊下げ式オーガ装置。
【請求項２】
前記オーガ装置本体は、内部に前記駆動伝達機構を収容した下部ケーシングと、内部に前記油圧モータを収容した上部ケーシングとを有し、
前記上部ケーシングの下端に下部ケーシングを固定し、該下部ケーシングの下端より前記駆動軸を垂下させ、
前記上部ケーシング又は下部ケーシングの外面に突設した同軸心配置の一対の吊り枠用回転支持軸を備え、該吊り枠用回転支持軸に対して前記ケーシングの外側を囲む配置の支持枠を枢支させ、該支持枠の外側に前記吊り枠用回転支持軸と直行する配置に前記吊り持ち用回転支持軸を突設した請求項１に記載の吊下げ式オーガ装置。
【発明の詳細な説明】
【技術分野】
【０００１】
本発明は、主として自走式重機の動作アーム先端に吊持ちさせ、下端に連結したオーガスクリューを回転させつつ降下させることにより穿孔する吊下げ式オーガ装置に関する。
【背景技術】
【０００２】
従来、この種の吊下げ式オーガ装置は、図７に示すように、油圧モータ１、減速機２、グラウト配管用のスイベル装置３等のほぼすべての構成部材を鋼製のケーシング４内に収容し、このケーシング４の上端に自在吊下げ具５を介して吊下げ支持されるようにしている
【０００３】
自在吊下げ具５は、鋼製枠体６に、互いに直行する配置の上下２本の回転支持軸７，８を有し、下側の回転支持軸８を鋼製ケーシング４の上端の一対のブラケット９，９に支持させ、上側の回転支持軸７を重機の動作アーム先端に支持させるようにしており、上下の回転支持軸７，８によって、３６０度のいずれの方向にも傾斜させることができるように吊下げられるようになっている（例えば特許文献１，２）。
【先行技術文献】
【特許文献】
【０００４】
【特許文献１】特開平５−１１８１８４号公報
【特許文献２】実用新案登録第２６０１７３２号公報
【発明の開示】
【発明が解決しようとする課題】
【０００５】
上述のような従来の吊下げ式オーガ装置は、装置全体の上端部に自在吊下げ具を取り付け、これを重機の動作アームに吊持ちさせるものであるため、動作アームに対する吊持ちのための回転支持軸が、装置全体より更に上方にあり、この位置とオーガスクリューの上端着脱具位置との間隔が大きくなり、高架橋下などのように作業高さが制限されるような場合には、順次継ぎ足すオーガスクリュー１本の長さが短くなり、多回数の継ぎ足し作業が必要となって、作業効率が低下するという問題があった。
【０００６】
本発明は、このような従来の問題に鑑み、作業高さが制限されるような場合であっても１回に継ぎ足すオーガスクリューの長さをより長くできるようにして作業性を向上させることを目的としてなされたものである。
【課題を解決するための手段】
【０００７】
上述の如き従来の問題を解決するための請求項１に記載の発明の特徴は、下端面に駆動軸を垂下させ、内部に油圧モータと該油圧モータの回転を前記駆動軸に伝達させる駆動伝達機構とを備えたオーガ装置本体を有し、該オーガ装置本体の外側にあって、該オーガ装置本体の上端より低い位置に、水平方向に向けた吊り持ち用回転支持軸を備え、該吊り持ち用回転支持軸をオーガ支持装置に枢支させることにより吊持ち支持させるようにした吊下げ式オーガ装置にある。
【０００８】
請求項２に記載の発明の特徴は、請求項１の構成に加え、前記オーガ装置本体は、内部に前記駆動伝達機構を収容した下部ケーシングと、内部に前記油圧モータを収容した上部ケーシングとを有し、  前記上部ケーシングの下端に下部ケーシングを固定し、該下部ケーシングの下端より前記駆動軸を垂下させ、前記上部ケーシング又は下部ケーシングの外面に突設した同軸心配置の一対の吊り枠用回転支持軸を備え、該吊り枠用回転支持軸に対して前記ケーシングの外側を囲む配置の支持枠を枢支させ、該支持枠の外側に前記吊り枠用回転支持軸と直行する配置に前記吊り持ち用回転支持軸を突設したことにある。
【発明の効果】
【０００９】
本発明に係る吊下げ式オーガ装置においては、請求項１に記載のように、下端面に駆動軸を垂下させ、内部に油圧モータと該油圧モータの回転を前記駆動軸に伝達させる駆動伝達機構とを備えたオーガ装置本体を有し、該オーガ装置本体の外側にあって、該オーガ装置本体の上端より低い位置に、水平方向に向けた吊り持ち用回転支持軸を備え、該吊り持ち用回転支持軸をオーガ支持装置に枢支させることにより吊持ち支持させるようにしたことにより、オーガ支持装置のオーガ取り付けブラケットの先端を、オーガ装置本体の上端より低く位置させることができることとなり、従来のようにオーガ装置本体の上に吊下げ支持のための器具を取り付けるものに比べ、全長が短くなり、高さ制限のある場所でのオーガスクリューの１回の地中挿入長さを長くできる。
【００１０】
本発明においては請求項２に記載のように、前記オーガ装置本体は、内部に前記駆動伝達機構を収容した下部ケーシングと、内部に前記油圧モータを収容した上部ケーシングとを有し、前記上部ケーシングの下端に下部ケーシングを固定し、該下部ケーシングの下端より前記駆動軸を垂下させ、前記上部ケーシング又は下部ケーシングの外面に突設した同軸心配置の一対の吊り枠用回転支持軸を備え、該吊り枠用回転支持軸に対して前記ケーシングの外側を囲む配置の支持枠を枢支させ、該支持枠の外側に前記吊り枠用回転支持軸と直行する配置に前記吊り持ち用回転支持軸を突設したことにより、吊り枠用回転支持軸の取り付けを堅牢な状態とすることができる。
【図面の簡単な説明】
【００１１】
【図１】本発明に係る吊下げ式オーガ装置の一例の正面図である。
【図２】同側面図である。
【図３】同平面図である。
【図４】図１に示す吊下げ式オーガ装置に使用している吊り枠の平面図である。
【図５】図１に示す吊下げ式オーガ装置をオーガ支持装置に吊下げ支持させた状態の側面図である。
【図６】同上の吊下げ支持部分の平面図である。
【図７】従来の吊下げ式オーガ装置の一例を示す側面図である。
【発明を実施するための最良の形態】
【００１２】
次に、本発明の実施の形態を、図面に示した実施例に基づいて説明する。図において符号１１はオーガ装置本体１１である。このオーガ装置本体１１は、油圧モータ部１２、駆動伝達機構部１３及び油圧モータ部１２の上端に突設したグラウトホース連結具１４とから構成されている。油圧モータ部１２は、鋼製の上部ケーシング１５に囲まれており、内部に縦置き式の油圧モータ１６が内部に収容されている。
【００１３】
グラウトホース連結具１４は、油圧モータ１６の回転軸上端に連結したスイベル機構を有するグラウト管連結継手１８と、その先端に旋回可能に連結したグラウト管１９とから構成され、グラウト管１９の先端にグラウトホース３１が連結されるようになっている。
【００１４】
上部ケーシング１５の下端には下部ケーシング１７が固定されており、その内部に回転伝達機構（図示せず）が収容され、下端に回転駆動軸２０が下向きに突出されている。この回転駆動軸２０にオーガスクリュー２１を連結するための軸継手２２が固定されている。
【００１５】
回転駆動軸２０には、中心にグラウト注入孔（図示せず）が貫通開口されている。グラウト注入孔は、油圧モータ１６の回転軸中心を通り、その上端に達しており、これにグラウト管連結継手１８を介してグラウト管１９が連通されている。
【００１６】
グラウト管連結継手１８は、上部ケーシング１５の上側に突き出ており、これに水平方向に向けたグラウト管１９が連結されている。
【００１７】
オーガ装置本体１１の外側にあって、該オーガ装置本体の上端より低い位置、即ち本例では、オーガ装置本体際上端のグラウト管連結継手１８の上端より低い位置に、水平方向に向けた吊り持ち用回転支持軸２５，２５を備えている。
【００１８】
この吊り持ち用回転支持軸２５，２５は、互いに同軸心配置となっており、グラウト管連結継手１８の両側にあって水平方向外側に向けて突設されている。この吊り持ち用回転支持軸２５，２５は、上部ケーシング１５の外側を囲む配置に取り付けられた吊り枠２６の一対の平行な対向片部２７，２７の外側に突設されており、これをオーガ支持装置４０に支持させるようになっている。
【００１９】
吊り枠２６は、前述した対向片部２７，２７と、これらの両端間にまたがらせて一体化させた搖動アーム２８，２８とをもって方形の枠状に形成されており、搖動アーム２８，２８は、その中央部分に軸受２９，２９が設けられ、該軸受２９，２９に上部ケーシング１５の両側面に突設した一対の吊り枠用回転支持軸３０，３０が嵌合されて枢支されている。
【００２０】
軸受２９，２９と吊り持ち用回転支持軸２５，２５は、互いに直交配置となっており、これによって、オーガ装置本体１１、直交する上下配置の吊り持ち用回転支持軸２５，２５と、吊り枠用回転支持軸３０，３０の２軸の回転支持軸によって支持された自在継手構造となり、吊下げ支持された際に、垂下中心軸線に対し、３６０度の方向に傾斜させることができる。
【００２１】
オーガ支持装置４０は、一例として自走式クレーンを使用し、その伸縮アーム４１の先端にオーガ取り付けブラケット４４を取り付けたものを使用する他、図には示してないがバックホーの操作アームの先端腕にオーガ取り付けブラケットを取り付けたものであってもよい。
【００２２】
オーガ取り付けブラケット４４は、吊り枠２６の対向片部２７，２７の外面側を挟む配置の一対の取り付け片４５，４５を有し、これに前述した吊り持ち用回転支持軸２５，２５に嵌合した軸受４６，４６を固定することによってオーガ装置本体１１を吊持ち支持させる。
【００２３】
このようにしてオーガ装置本体１１を吊持ち支持させるようにすることによって、オーガ支持装置４０のオーガ取り付けブラケット４４の先端を、オーガ装置本体１１の上端より低く位置させることができることとなり、従来のようにオーガ装置本体の上に吊下げ支持のための器具を取り付けるものに比べ、全長が短くなり、高さ制限のある場所でのオーガスクリューの１回の地中挿入長さを長くできる。
尚、上述した例では前記上部ケーシング１５の外面に吊り枠用回転支持軸３０を設けた場合を示しているが、この吊り枠用回転支持軸３０は、下部ケーシング１７の外面に突設してもよい。
【符号の説明】
【００２４】
１１  オーガ装置本体
１２  油圧モータ部
１３  駆動伝達機構部
１４  グラウトホース連結具
１５  上部ケーシング
１６  油圧モータ
１７  下部ケーシング
１８  グラウト管連結継手
１９  グラウト管
２０  回転駆動軸
２１  オーガスクリュー
２２  軸継手
２５  吊り持ち用回転支持軸
２６  吊り枠
２７  対向片部
２８  搖動アーム
２９  軸受
３０  吊り枠用回転支持軸
３１  グラウトホース
４０  オーガ支持装置
４１  伸縮アーム
４４  オーガ取り付けブラケット
４５  取り付け片
４６  軸受
【図１】
2014214517.tif 000003
【図２】
2014214517.tif 000004
【図３】
2014214517.tif 000005
【図４】
2014214517.tif 000006
【図５】
2014214517.tif 000007
【図６】
2014214517.tif 000008
【図７】
2014214517.tif 000009